(57)【特許請求の範囲】
【請求項１】
水栓柱の正面部に設けた開口に、少なくとも弁機構を備えた水栓本体、流量調整レバーおよび流量調整レバーの回動操作を弁機構に伝達する伝達機構を有する流量調整機能付水栓を収容した縦長のハウジングを一体に設け、水を水栓柱へ供給するための供給口を水栓柱に設け、供給口とは水栓柱内に設けられた流通路を介して連結されている水流入口を水栓本体に設け、水栓本体の前記水流入口から水栓本体の水流出口を介して散水器の給水ホースへ給水するとともに、散水器の給水ホースの継手が着脱自在に接続される水栓側継手を水栓本体の水流出口に設け、前記水栓柱へ水を供給するための供給ホースの継手が着脱自在に接続される供給口側継手を前記供給口に設け、前記開口を覆う蓋部を設け、さらに、前記流量調整レバーおよび水栓側継手を前記水栓柱の内部から前記蓋部の表面側へ露出させるとともに、前記水栓側継手および流量調整レバーは、前記流量調整レバーを前記水栓側継手の直上に位置させながら、前記水栓側継手の前面および流量調整レバーの前面と水栓柱の前面がほぼ面一状態となるように設置してある給水機構であって、
前記水栓柱は移動可能な架台に組み付けられており、前記水栓柱の下端部は、左右の両側面に穴が設けられており、
前記穴に外側から嵌入されるそれぞれ内側向きに設けられた二つの突起および上向きに設けられた雌ねじ付環状突起を有する正面視コの字形の固定ステーを介して、前記水栓柱は前記架台の凹入部に挿入されており、
また、前記架台の下方から、固定用ボルトがワッシャを介して前記架台の底に設けられた貫通穴に挿通され、さらに前記固定ステーの雌ねじ付環状突起に螺着することにより、前記水栓柱が前記架台に密着固定しているとともに、前記架台に設けられた前記水栓柱を挿入するための前記凹入部と前記水栓柱との間にできる隙間を覆うためのカバーを設けていることを特徴とする移動可能な水栓柱における給水機構。
【請求項２】
前記水栓柱は直方体形状をなすとともに、前記開口は水栓柱前面上方に設けられ、前記供給口は水栓柱の背面下方に設けられる一方、前記流量調整レバーはダイヤル型のものである請求項１に記載の移動可能な水栓柱における給水機構。
【発明の詳細な説明】
【０００１】
【発明の属する技術分野】
本発明は、水栓柱に設けられた給水機構に関し、さらに、その水栓柱が移動可能なものに関する。
【０００２】
【従来の技術】
水栓柱は、その下部をコンクリートなどで完全に固定させるのが一般的であったが、最近、水栓柱（水栓金具を含む）を使用者の希望する任意の場所に移動させることのできるユニットが市場に出回っている。
【０００３】
前記ユニットの水栓柱に設けられる水の流出口は、従来、金属製の蛇口などを有する単水栓が用いられるのが一般的であった。
【０００４】
【発明が解決しようとする課題】
しかし、上記構成では、単水栓が水栓柱から大きく突出しているため、その使用時にスペースを有効にいかすことができず、また、継手となる単水栓にホ−スなどを取り付ける場合に手間がかかったり外れたりしやすく、さらに、ホ−スを遠くまで伸ばして使用する場合、先端が下向きになっている単水栓にホ−スを接続するため、ホ−スを水栓柱から直線的に伸ばすことができず、その分だけ所定の位置にある水栓柱からホ−スを伸ばして使用できる範囲が狭くなり、ユニット自体を頻繁に移動させる必要が生じる。また、収納時においても、よりコンパクトに収納するためには単水栓を水栓柱から外したほうがよいが、その作業に手間がかかった。
【０００５】
本発明は上述の事柄に留意してなされたもので、その目的は、ホ−スなどを取り付ける継手が水栓柱からほとんど突出していないため、使用時にスペースを有効にいかすことができ、また、ホ−スなどの取り付けが簡易でかつ外れにくく、さらに、ホ−スを水栓柱からほぼ直線的に伸ばすことができるため、所定の位置にある水栓柱からホ−スを伸ばして使用できる範囲が広くなり、ユニット自体を頻繁に移動させる必要がなく、また、収納をコンパクトにかつ簡単にできる移動可能な水栓柱における給水機構を提供することである。
【０００６】
【課題を解決するための手段】
上記目的を達成するために、本発明の移動可能な水栓柱における給水機構は、水栓柱の正面部に設けた開口に、少なくとも弁機構を備えた水栓本体、流量調整レバーおよび流量調整レバーの回動操作を弁機構に伝達する伝達機構を有する流量調整機能付水栓を収容した縦長のハウジングを一体に設け、水を水栓柱へ供給するための供給口を水栓柱に設け、供給口とは水栓柱内に設けられた流通路を介して連結されている水流入口を水栓本体に設け、水栓本体の前記水流入口から水栓本体の水流出口を介して散水器の給水ホースへ給水するとともに、散水器の給水ホースの継手が着脱自在に接続される水栓側継手を水栓本体の水流出口に設け、前記水栓柱へ水を供給するための供給ホースの継手が着脱自在に接続される供給口側継手を前記供給口に設け、前記開口を覆う蓋部を設け、さらに、前記流量調整レバーおよび水栓側継手を前記水栓柱の内部から前記蓋部の表面側へ露出させるとともに、前記水栓側継手および流量調整レバーは、前記流量調整レバーを前記水栓側継手の直上に位置させながら、前記水栓側継手の前面および流量調整レバーの前面と水栓柱の前面がほぼ面一状態となるように設置してある給水機構であって、
前記水栓柱は移動可能な架台に組み付けられており、前記水栓柱の下端部は、左右の両側面に穴が設けられており、
前記穴に外側から嵌入されるそれぞれ内側向きに設けられた二つの突起および上向きに設けられた雌ねじ付環状突起を有する正面視コの字形の固定ステーを介して、前記水栓柱は前記架台の凹入部に挿入されており、
また、前記架台の下方から、固定用ボルトがワッシャを介して前記架台の底に設けられた貫通穴に挿通され、さらに前記固定ステーの雌ねじ付環状突起に螺着することにより、前記水栓柱が前記架台に密着固定しているとともに、前記架台に設けられた前記水栓柱を挿入するための前記凹入部と前記水栓柱との間にできる隙間を覆うためのカバーを設けていることを特徴としている（請求項１）。
【０００７】
上記の構成により、散水器の給水ホ−スなどを取り付ける継手が水栓柱からほとんど突出していないため、使用時にスペースを有効にいかすことができ、また、給水ホ−スなどの取り付けが簡易でかつ外れにくく、さらに、給水ホ−スを水栓柱からほぼ直線的に伸ばすことができるため、所定の位置にある水栓柱から給水ホ−スを伸ばして使用できる範囲が広くなり、ユニット自体を頻繁に移動させる必要がなく、また、収納をコンパクトにかつ簡単にできる移動可能な水栓柱における給水機構を提供することができる。
この場合、前記水栓柱は直方体形状をなすとともに、前記開口は水栓柱前面上方に設けられ、前記供給口は水栓柱の背面下方に設けられる一方、前記流量調整レバーはダイヤル型のものであるのが好ましい（請求項２）。
【０００８】
【０００９】
【００１０】
【００１１】
【００１２】
【発明の実施の形態】
以下、この発明の実施例を、図を参照しながら説明する。
図１は本発明の一実施例の正面図を、そして、図２は同実施例の縦断面図をそれぞれ概略的に示しており、ほぼ直方体形状で中空の水栓柱１は移動可能な架台２に組み付けられている。そして、水栓柱１前面上方に設けられた正面視長方形状の開口３を、同じく正面視長方形状の蓋部４が覆っており、ダイヤル型の流量調整レバー５および継手６が、水栓柱１の内部から蓋部４の表面側へ露出している。流量調整レバー５の前面と、継手６の前面と、水栓柱１の前面は略面一状態となっている。
【００１３】
７は水栓柱１内に設けられた縦長のハウジングで、ハウジング７の内部には弁機構（図示せず）を有する水栓本体８並びに前記流量調整レバー５を有する流量調整機能付水栓Ｓ（例えば、特願平１０−１１５９６５号の明細書、図面に記載の流量調整機能付水栓）が設けられている。流量調整機能付水栓Ｓは、流量調整レバー５の回動操作を前記弁機構に伝達する伝達機構（図示せず）と、後述する接続解除機構（図示せず）とを備えており、また、水栓本体８の前面には継手６を接続する水流出口９が、そして、下面には水流入口１０がそれぞれ設けられている。
【００１４】
水栓柱１の背面下方には、水を水栓柱１へ供給するための供給口１１が設けられていて、供給口１１と水栓本体８の水流入口１０は水栓柱１内に設けられた流通路１２によって連結されている。
【００１５】
さらに、この水栓柱１の下端部は、左右の両側面に穴１３、１３が設けられており、穴１３、１３に外側から嵌入されるそれぞれ内側向きに設けられた二つの突起１３’、１３’および上向きに設けられた雌ねじ付環状突起（図示せず）を有し、水栓柱１の下面に当接される正面視コの字形の固定ステー１５を介して、水栓柱１は架台２の凹入部１６に挿入されている。
【００１６】
そして、架台２の下方から、固定用ボルト１７がワッシャ１８を介して架台２の底に設けられた貫通穴１９に挿通され、さらに前記固定ステー１５の雌ねじ付環状突起に螺着することにより、水栓柱１が架台２に密着固定している。また、２０は、架台２に設けられた水栓柱１を挿入するための凹入部１６と水栓柱１との間にできる隙間を覆うためのカバーである。
【００１７】
図３は上記実施例の斜視図を示し、シャワーヘッド部２１と、給水ホース２２と、継手２３を有する散水器２４が水栓柱１の継手６に接続されていて、散水器２４の継手２３と、水栓柱１の継手６は、ワンタッチで簡単に取り付けおよび取り外しができる簡易着脱機構（例えば、特願平１０−１１５９６５号や特願平９−２４９８７１号の明細書、図面に記載のもの）を有している。
一方、２５は水栓柱１へ水を供給するための供給ホ−スであり、供給ホ−ス２５の先端の継手（図示せず）と、水栓柱１背面の供給口１１に設けられた継手２６も、前記簡易着脱機構を有している。
【００１８】
また、水栓柱１内の水栓本体８が前記接続解除機構（例えば、特願平１０−１１５９６５号の明細書、図面に記載の接続解除機構）を有しているので、流量調整レバー５を閉栓位置で水栓柱１の内部側へ軸方向へ押動すると、散水器２４の給水ホース２２の継手２３を水栓柱１の継手６から接続解除させることができる。
【００１９】
図４は参考例を示す斜視図であり、上記実施例と同じ構造のものは同じ番号および記号を付けており、説明は省略する。この参考例では、内部に物品収納用の空間を設け、収納庫に兼用されるほぼ直方体形状の水栓柱２７の一側面には、枠体２８ａと枠体２８ａにより挟持される板状体２８ｂとより構成される開閉自在の扉部２８が設けられていて、水栓柱２７の中に散水器２４を、シャワーヘッド部２１（図４には図示せず）を給水ホース２２から外した状態で収容している。また、水栓柱２７の他側面には、供給口１１および継手２６（共に図４には図示せず）が設けられている。さらに、底面の４つの脚部２９、２９、２９、２９は、先端が車輪になっていて、それぞれが転がることで移動可能となる。尚、脚部２９の構造はこれに限るものではない。
【００２０】
前面に蓋部４と流量調整レバー５と継手６を有する水栓柱２７に設けられる給水機構は第一実施例とほとんど同じであるが、相違点は、上記に示すように供給口１１および継手２６（共に図４には図示せず）が水栓柱２７の側面下方に設けられている点である。
【００２１】
前記扉部２８を閉じたときも水栓柱２７の中が見えるように、光を透過する材料により板状体２８ｂを構成してもよいし、扉部２８を閉じたときは水栓柱２７の中が見えないように光をほとんど透過しない材料により板状体２８ｂを構成してもよい。後者の場合は、枠体２８ａと板状体２８ｂを一体形成としてもよい。
【００２２】
上記実施例では、供給口１１および継手２６を水栓柱１の背面に、そして上記参考例では、供給口１１および継手２６を水栓柱２７の側面に設けているが、これに限るものではなく、支障がなければ、それぞれ前面、両側面、背面のどの面に設けてもよい。
【００２３】
【発明の効果】
以上説明したように、本発明の移動可能な水栓柱における給水機構は、柱水栓の前面部に設けた開口に、少なくとも弁機構を備えた水栓本体、流量調整レバーおよび流量調整レバーの回動操作を弁機構に伝達する伝達機構を有する流量調整機能付水栓を収容した縦長のハウジングを一体に設け、水を水栓柱へ供給するための供給口を水栓柱の背面に設け、供給口とは水栓柱内に設けられた流通路を介して連結されている水流入口を水栓本体に設け、水栓本体の前記水流入口から水栓本体の水流出口を介して散水器の給水ホースへ給水するとともに、散水器の給水ホースの継手が着脱自在に接続される水栓側継手を水栓本体の水流出口に設け、前記水栓柱へ水を供給するための供給ホースの継手が着脱自在に接続される供給口側継手を前記供給口に設け、前記開口を覆う蓋部を設け、さらに、前記流量調整レバーおよび水栓側継手を前記水栓柱の内部から前記蓋部の表面側へ露出させるとともに、前記水栓側継手および流量調整レバーは、前記流量調整レバーを前記水栓側継手の直上に位置させながら、前記水栓側継手の前面および流量調整レバーの前面と水栓柱の前面がほぼ面一状態となるように設置してある（請求項１）。
【００２４】
上記の構成により、散水器の給水ホ−スなどを取り付ける継手が水栓柱からほとんど突出していないため、使用時にスペースを有効にいかすことができ、また、給水ホ−スなどの取り付けが簡易でかつ外れにくく、さらに、給水ホ−スを水栓柱からほぼ直線的に伸ばすことができるため、所定の位置にある水栓柱から給水ホ−スを伸ばして使用できる範囲が広くなり、ユニット自体を頻繁に移動させる必要がなく、また、収納をコンパクトにかつ簡単にできる移動可能な水栓柱における給水機構を提供することができる。
【００２５】
また、本発明の移動可能な水栓柱における給水機構では、前記水栓柱は移動可能な架台に組み付けられている。そのため、前記水栓柱を使用者の希望する任意の場所に移動させることができる。
【００２６】
【図面の簡単な説明】
【図１】  本発明の一実施例を概略的に示す正面図である。
【図２】  上記実施例を概略的に示す側面の縦断面図である。
【図３】  上記実施例を概略的に示す斜視図である。
【図４】  参考例を概略的に示す斜視図である。
【符号の説明】
１…水栓柱、２…架台、３…開口、５…流量調整レバー、６…水栓側継手、７…ハウジング、８…水栓本体、９…水流出口、１０…水流入口、１１…供給口、１３、１３…穴、１３’、１３’…突起、１５…固定ステー、１６…凹入部、１７…固定用ボルト、１８…ワッシャ、１９…貫通穴、２０…カバー、２２…給水ホース、２３…継手、２４…散水器、２６…供給口側継手、２７…水栓柱、２９…脚部、Ｓ…流量調整機能付水栓。
【図１】
0004327925.tif 000002
【図２】
0004327925.tif 000003
【図３】
0004327925.tif 000004
【図４】
0004327925.tif 000005